(57)【要約】【課題】肥料効果を持続でき、短期間で大株に生育させることができ、早期の収穫を可能とし、さらには生育作物の初期成長時に雑草の成長を防ぎマルチ効果を高めるアスパラガスのマルチ促成栽培方法及びアスパラガスの促成栽培用マルチフィルムを提供すること。【解決手段】圃場に畦を形成し、該畦にアスパラガス栽培用マルチフィルムを被覆し、各定植穴にアスパラガスの株を植え付けて大株を育成するアスパラガスのマルチ促成栽培方法であって、前記アスパラガス栽培用マルチフィルムは、フィルムの長さ方向に沿って一条に所定間隔で設けられた複数の定植穴を有し、該定植穴の近傍に追肥用穴となるミシン目加工部を有し、  前記追肥用穴となるミシン目加工部を追肥開始時にミシン目に沿って開口して追肥用穴を形成することを特徴とするアスパラガスのマルチ促成栽培方法及びアスパラガス栽培用マルチフィルム。【選択図】        図１
2006042700.tif 000002
【特許請求の範囲】
【請求項１】
圃場に畦を形成し、該畦にアスパラガス栽培用マルチフィルムを被覆し、各定植穴にアスパラガスの株を植え付けて大株を育成するアスパラガスのマルチ促成栽培方法であって、
前記アスパラガス栽培用マルチフィルムは、フィルムの長さ方向に沿って一条に所定間隔で設けられた複数の定植穴を有し、該定植穴の近傍に追肥用穴となるミシン目加工部を有し、
前記追肥用穴となるミシン目加工部を追肥開始時にミシン目に沿って開口して追肥用穴を形成することを特徴とするアスパラガスのマルチ促成栽培方法。
【請求項２】
前記定植穴同士の間隔が３０〜７０ｃｍであり、前記定植穴と前記追肥用穴となるミシン目加工部との間隔が５〜２０ｃｍであることを特徴とする請求項１記載のアスパラガスのマルチ促成栽培方法。
【請求項３】
フィルム表面、裏面又は中間層の少なくとも何れかの層が、遮光性の層であることを特徴とする請求項１又は２記載のアスパラガスのマルチ促成栽培方法。
【請求項４】
前記追肥用穴となるミシン目加工部は、レーザー加工により形成されることを特徴とする請求項１〜３の何れかに記載のアスパラガスのマルチ促成栽培方法。
【請求項５】
前記定植穴の周囲にミシン目を形成し、植生株の成長に応じて穴径を拡大することを特徴とする請求項１〜４の何れかに記載のアスパラガスのマルチ促成栽培方法。
【請求項６】
フィルムの長さ方向に沿って一条に所定間隔で設けられた複数の定植穴を有し、該定植穴の近傍に追肥用穴となるミシン目加工部を有することを特徴とするアスパラガスの促成栽培用マルチフィルム。
【請求項７】
前記定植穴同士の間隔が３０〜７０ｃｍであり、前記定植穴と前記追肥用穴となるミシン目加工部との間隔が５〜２０ｃｍであることを特徴とする請求項６記載のアスパラガスの促成栽培用マルチフィルム。
【請求項８】
フィルム表面、裏面又は中間層の少なくとも何れかの層が、遮光性の層であることを特徴とする請求項６又は７記載のアスパラガスの促成栽培用マルチフィルム。
【請求項９】
前記追肥用穴となるミシン目加工部は、レーザー加工により形成されることを特徴とする請求項６〜８の何れかに記載のアスパラガスのマルチ促成栽培用マルチフィルム。
【請求項１０】
前記定植穴の周囲に、植生株の成長に応じて穴径を拡大可能なミシン目を形成してなることを特徴とする請求項６〜９の何れかに記載のアスパラガスのマルチ促成栽培用マルチフィルム。
【請求項１１】
フィルムの長さ方向に沿って一条に所定間隔で設けられた複数の定植穴と追肥用穴となるミシン目加工部とが交互に有することを特徴とする請求項６〜１０の何れかに記載のアスパラガスの促成栽培用マルチフィルム。
【請求項１２】
フィルムの長さ方向に沿って一条に所定間隔で設けられた複数の定植穴を有し、該複数の定植穴のうち隣接する定植穴が定植穴対を順次形成し、該定植穴対を構成する二つの定植穴の間に追肥用穴となるミシン目加工部を有し、該定植穴対同士の間には該ミシン目加工部を設けないことを特徴とする請求項６〜１０の何れかに記載のアスパラガスのマルチ促成栽培用マルチフィルム。
【発明の詳細な説明】
【技術分野】
【０００１】
本発明は、アスパラガスのマルチ促成栽培方法及びアスパラガスの促成栽培用マルチフィルムに関し、詳しくは短期間のうちに株を大きくすることができ、短期間での収穫を可能とし、生育作物の初期成長時の雑草を抑制しマルチ効果を高めるアスパラガスのマルチ促成栽培方法及びアスパラガスの促成栽培用マルチフィルムに関する。
【背景技術】
【０００２】
アスパラガスは、土壌中に太いひも状の貯蔵根を持ち、地下茎先端の鱗芽から萌え出る若芽が食用となる。新芽は光にあたると緑紫色のグリーンアスパラガスに、光を遮ると淡黄色のホワイトアスパラガスになる。
【０００３】
現在、アスパラガスは、露地栽培が主流であり、定植後、最初の１〜２年間は、ひたすら株の養成に努め、大株に生育させた後に収穫するというようにゆっくりとした栽培法を採用している。このため、５〜６年後に盛園となり、最終的には１０〜１５年後まで収穫を続ける。
【０００４】
しかし、長期栽培になるほど病害による欠株が増え、その防止策も難しくなり、また多肥にもなるため経営的には早期に収穫可能な大株を栽培し、手間のかかる長期間の栽培を避ける方が有利な場合が多い。
【０００５】
またアスパラガスは、短日・低温休眠作物であり、冬は地上部が枯れて休眠して越冬する。露地栽培では、休眠が完全に覚醒し、平均気温が約５℃以上で萌芽をはじめ、その後更に約１０℃を越える頃、即ち全国的に見れば、４月上旬から収穫開始となる。さらに、１２月中旬以降、トンネルやハウス被覆をすれば収穫期開始を３月以降からと早めることもできる。そして収穫終わりは、生育適温が平均気温１５〜２０℃であることから、全国的にみて１０月頃までとなる。
【０００６】
即ち、露地や単なるトンネルやハウス被覆での収穫期間は、３月〜１０月までということになる。
【０００７】
これに対し、端境期（１２〜３月）出荷を目的とした促成栽培がある。この栽培では、１１月下旬〜１２月上旬に十分生育した根株を掘り取り、ハウス内の温床に伏込み、加温しながら栽培する。地域によっては、休眠覚醒のため根株を冷蔵処理する、いわゆる伏込み栽培である。
【０００８】
この伏込み栽培では、十分生育した株、いわゆる大株を温床に密植し、短期間に一斉萌芽、生育させることが重要で、いかにして良質の大株を１１月ごろまでに作り上げるかがポイントになる。なお、大株は１回使用が普通となっている。
【特許文献１】農文協編「野菜の生態と作型」２６３頁−２６５頁
【発明の開示】
【発明が解決しようとする課題】
【０００９】
短期間で良質の大株を露地で栽培しようとするといくつかの問題がある。第１に、株を短期間のうちに収穫可能な大株にまで養成するためには、株に十分な栄養を与える必要があるが、露地栽培では、せっかく肥料を与えても降雨によって早期に流出してしまい、肥料効果を持続させることが難しく、追肥してもロスが多い。
【００１０】
第２に、根部を十分に生育させるには、土壌中に十分な酸素が必要であり、土壌空隙が多いことが大切であるが、これも降雨により土壌が絞まり減少し、十分な根の生育を妨げてしまう。
【００１１】
また第３には、根が地下を自由に伸長してしまうため、根株を掘り取る時、根を傷めることである。これは、温床へ伏せ込み後の活着、萌芽に大きく影響し、大きな問題である。
【００１２】
そこで、本発明者は、先に特願平２００４−０８３４５８号において、肥料効果を持続でき、短期間で大株に生育させることができ、早期の収穫を可能とするアスパラガスのマルチ促成栽培方法及びアスパラガスの促成栽培用マルチフィルムを提供した。
【００１３】
更に、本発明者は上記先提案技術を実用化すべく鋭意検討した結果、フィルム展張時より追肥用穴を開けていると、生育作物の初期成長時に雑草が追肥用穴から生え出してしまい、生育作物の成長に害を及ぼすという新たな課題を見出した。即ち、雑草防除には除草剤処理で対処できるが、新たな費用と手間が生じることになり好ましくない。さらに雑草を人手で抜き取るのは農業生産者の高齢化と人手不足の点からほとんど不可能である。従って雑草が生長してしまい作物に害を及ぼすことになる。
【００１４】
そこで本発明は、肥料効果を持続でき、短期間で大株に生育させることができ、早期の収穫を可能とし、さらには生育作物の初期成長時に雑草の成長を防ぎマルチ効果を高めるアスパラガスのマルチ促成栽培方法及びアスパラガスの促成栽培用マルチフィルムを提供することを課題とする。
【００１５】
本発明の他の課題は、以下の記載によって明らかとなる。
【課題を解決するための手段】
【００１６】
上記課題は、以下の各発明によって解決される。
【００１７】
（請求項１）圃場に畦を形成し、該畦にアスパラガス栽培用マルチフィルムを被覆し、各定植穴にアスパラガスの株を植え付けて大株を育成するアスパラガスのマルチ促成栽培方法であって、前記アスパラガス栽培用マルチフィルムは、フィルムの長さ方向に沿って一条に所定間隔で設けられた複数の定植穴を有し、該定植穴の近傍に追肥用穴となるミシン目加工部を有し、前記追肥用穴となるミシン目加工部を追肥開始時にミシン目に沿って開口して追肥用穴を形成することを特徴とするアスパラガスのマルチ促成栽培方法。
【００１８】
（請求項２）前記定植穴同士の間隔が３０〜７０ｃｍであり、前記定植穴と前記追肥用穴となるミシン目加工部との間隔が５〜２０ｃｍであることを特徴とする請求項１記載のアスパラガスのマルチ促成栽培方法。
【００１９】
（請求項３）フィルム表面、裏面又は中間層の少なくとも何れかの層が、遮光性の層であることを特徴とする請求項１又は２記載のアスパラガスのマルチ促成栽培方法。
【００２０】
（請求項４）前記追肥用穴となるミシン目加工部は、レーザー加工により形成されることを特徴とする請求項１〜３の何れかに記載のアスパラガスのマルチ促成栽培方法。
【００２１】
（請求項５）前記定植穴の周囲にミシン目を形成し、植生株の成長に応じて穴径を拡大することを特徴とする請求項１〜４の何れかに記載のアスパラガスのマルチ促成栽培方法。
【００２２】
（請求項６）フィルムの長さ方向に沿って一条に所定間隔で設けられた複数の定植穴を有し、該定植穴の近傍に追肥用穴となるミシン目加工部を有することを特徴とするアスパラガスの促成栽培用マルチフィルム。
【００２３】
（請求項７）前記定植穴同士の間隔が３０〜７０ｃｍであり、前記定植穴と前記追肥用穴となるミシン目加工部との間隔が５〜２０ｃｍであることを特徴とする請求項６記載のアスパラガスの促成栽培用マルチフィルム。
【００２４】
（請求項８）フィルム表面、裏面又は中間層の少なくとも何れかの層が、遮光性の層であることを特徴とする請求項６又は７記載のアスパラガスの促成栽培用マルチフィルム。
【００２５】
（請求項９）前記追肥用穴となるミシン目加工部は、レーザー加工により形成されることを特徴とする請求項６〜８の何れかに記載のアスパラガスのマルチ促成栽培用マルチフィルム。
【００２６】
（請求項１０）前記定植穴の周囲に、植生株の成長に応じて穴径を拡大可能なミシン目を形成してなることを特徴とする請求項６〜９の何れかに記載のアスパラガスのマルチ促成栽培用マルチフィルム。
【００２７】
（請求項１１）フィルムの長さ方向に沿って一条に所定間隔で設けられた複数の定植穴と追肥用穴となるミシン目加工部とが交互に有することを特徴とする請求項６〜１０の何れかに記載のアスパラガスの促成栽培用マルチフィルム。
【００２８】
（請求項１２）フィルムの長さ方向に沿って一条に所定間隔で設けられた複数の定植穴を有し、該複数の定植穴のうち隣接する定植穴が定植穴対を順次形成し、該定植穴対を構成する二つの定植穴の間に追肥用穴となるミシン目加工部を有し、該定植穴対同士の間には該ミシン目加工部を設けないことを特徴とする請求項６〜１０９の何れかに記載のアスパラガスのマルチ促成栽培用マルチフィルム。
【発明の効果】
【００２９】
本発明によれば、肥料効果を持続でき、短期間で大株に生育させることができ、早期の収穫を可能とすることができ、さらには生育作物の初期成長時に雑草が追肥用穴から生え出すことを防ぎマルチ効果を高めることができるアスパラガスのマルチ促成栽培方法及びアスパラガスの促成栽培用マルチフィルムを提供することができる。
【発明を実施するための最良の形態】
【００３０】
以下、本発明の最良の実施形態について図面を用いて説明する。
【００３１】
図１は本発明に係るアスパラガスの促成栽培用マルチフィルムの好ましい実施形態を示す部分平面図、図２は同上の促成栽培用マルチフィルムの使用状態を示す斜視図であり、一部断面で示している。
【００３２】
図１に示すアスパラガスの促成栽培用マルチフィルムは、フィルム１の長さ方向に沿って、アスパラガスの株Ｐ（図２参照）を定植するための定植穴２が一条に所定間隔で複数設けられており、各定植穴２と同一列上に、各定植穴近傍にそれぞれ追肥用穴となるミシン目加工部３が設けられ、該定植穴と該追肥用穴となるミシン目加工部が交互に設けられている。
【００３３】
追肥用穴となるミシン目加工部３は、追肥開始時にミシン目に沿って開口し追肥用穴にするためのものである。
【００３４】
定植穴２は、フィルム１の長さ方向に沿って一条に設けられている。かかる一条に配置することによりアスパラガスの株を大株に養成することが可能となる。２列以上の複数列に植え付ける場合には、根部が大きく伸び出すようになると、並列する株同士の根部の絡みつきが起こるので間隔を大きくあける必要がある。このため、各株はそれぞれ畦の両側に片寄るように配されるようになり、根部が畦の外にも張り出してしまい、養成後に株を掘り上げる際、機械で根部Ｐａを切断してしまうおそれがある。
【００３５】
さらに、定植穴２と追肥用穴となるミシン目加工部３をフィルム１の長さ方向に沿って同一列上となるように設けられるようにすると、畦の左右均一に肥料を供給できるため好ましい。
【００３６】
また図２に示すように、各定植穴２はフィルム１の被覆時に畦１０の頂部に配置されるため、各追肥用穴となるミシン目加工部３がこれと同一列上に設けられる場合は、各定植穴２と同様に畦１０の頂部に配置されることになるため、追肥開始後における降雨等によって畦１０中の肥料や土が追肥用穴から流出してしまうおそれを防ぐこともできる。
【００３７】
追肥用穴となるミシン目加工部３の形成方法としては、レーザー加工が好ましい。レーザー加工は、ピンポイントに絞られたレーザービームを望みの形状に沿わせて走査すればよく、刃型は不要であり連続的加工が可能となる。さらにレーザー加工では、フィルム走行中に追肥用穴となるミシン目加工部を自由な形状に加工することや、間隔を変更することも可能であるため、時間的、コスト的にも大変優れている加工方法である。
【００３８】
追肥用穴となるミシン目加工部３の形状は、課題を効果的に解決可能であれば任意の形状でよく、特に限定されない。
【００３９】
例えば図３（ａ）は円形状全体にミシン目加工が施されている例であり、同図（ｂ）は方形状全体にミシン目加工が施されている例であり、同図（ｃ）はミシン目がくの字型に施されている例であり、同図（ｄ）は円形状一部分だけミシン目加工を施していない例であり、同図（ｅ）は方形状一部分だけミシン目加工を施していない例であり、これらのいずれの形状を採用してもよい。
【００４０】
本発明において、同図（ｃ）、（ｄ）、（ｅ）の態様は、追肥開始時にミシン目に沿って開口し追肥用穴にしたときに、フィルムくずが発生しないためより好ましい。
【００４１】
このように定植穴２の近傍に追肥用穴となるミシン目加工部３を設けることにより、追肥開始前は穴が開いていない状態にあり、初期雑草を抑制し、開口による地温低下を防ぎ生育促進できる効果が発揮される。
【００４２】
初期雑草を抑制することにより、株Ｐへの栄養分を初期雑草に吸収されることを防ぐことができ、株Ｐに対して十分な栄養を補給させることができる。さらに、始めから追肥用穴を開けていた場合の除草作業や除草剤処理に伴う手間や費用が不要となる。
【００４３】
なお、初期雑草を抑制することができれば、追肥を開始する時点で生えている雑草は、既に株Ｐが成長してきているため日陰となり、それ以上の発生が抑制され大きな問題とはならない。
【００４４】
追肥開始時においてはミシン目に沿って開口を形成することにより、株Ｐの生育に合わせて効果的に追肥を繰り返し行う際の作業性を改善することができる。
【００４５】
本発明において、ミシン目に沿って開口を形成するのは、追肥開始時であればよいが、追肥開始と同時である必要はなく、追肥開始の日の数日前から追肥開始の日（あるいは時）でよい。
【００４６】
一般に、マルチフィルムに定植穴以外の穴を開けることは、マルチ効果（保水、地温上昇、抑草、肥料保持、土壌病害減等）を低減させるものであると考えられ、追肥用穴を開けることは、株Ｐの生育にとってマイナスであると考えられる。
【００４７】
しかし、本発明者は、アスパラガスをマルチフィルムにより促成栽培する場合に、追肥用穴となるミシン目加工部３を設けることで、このマイナスを補うに十分な効果を得ることができることを見出した。すなわち、追肥用穴となるミシン目加工部３は、上述したように、追肥開始時までは密閉されており、土中水分、地温を保持しアスパラの活着、初期成育を促進安定化し、なおかつ初期雑草を抑制することにより、初期雑草による栄養分の吸収を抑制でき、また、除草の手間や費用も省ける。
【００４８】
さらに、追肥開始後においては株Ｐの生育に合わせて効果的に追肥を繰り返し行う際の作業性を改善するばかりでなく、この追肥用穴から空気中の酸素が畦１０中に入り込み、根部Ｐａに必要な酸素を十分に供給することもでき、結果的に地上部にも良い効果をもたらすものと考えられる。更に、追肥用穴から雨水が入り込むことにより、肥料や水が畦１０の上部から下に移動し、根部Ｐａにおける肥料の吸収効率も向上し、水分補給にも効果的であると考えられる。その結果、追肥効果及び本来のマルチ効果との相乗効果により株Ｐの早期の成長を促し、短期間のうちにアスパラガスの株Ｐを大きくする上で初期密閉式の追肥用穴はむしろ有効に機能するためであると考えられる。
【００４９】
定植穴２は、図示する円形状に限らず任意であるが、各穴径は円形の場合その直径、方形状の場合は円形換算面積から算出した直径である。
【００５０】
定植穴２の穴径は、３〜１０ｃｍとすることが好ましい。３ｃｍよりも小さいと、栄養根や若茎を折損して植痛みを発生させる要因となる。また、１０ｃｍよりも大きくすると、マルチ効果（昇温）を減らし、雑草多発の原因となる。より好ましくは、５〜８ｃｍとすることである。
【００５１】
各定植穴２同士の間隔Ａは３０〜７０ｃｍであることが好ましい。３０ｃｍよりも小さいと、大株に養成した際の株Ｐの根部Ｐａ同士が絡みつくおそれがあり、また、７０ｃｍよりも大きくすると、必要以上に間隔があいてしまうことにより、定植数が少なくなるおそれがある。より好ましくは、４０〜５０ｃｍとすることである。この間隔Ａは、各定植穴２の中心間の距離である。
【００５２】
また、定植穴２と追肥用穴となるミシン目加工部３との間隔Ｂは５〜２０ｃｍであることが好ましい。５ｃｍよりも小さいと、幼植物の根端に接触して肥料やけを起こすおそれがある。また、２０ｃｍよりも大きくすると、株Ｐの根部Ｐａの近傍に効果的に追肥することが難しくなる。より好ましくは、１０〜１５ｃｍとすることである。この間隔Ｂは、定植穴と隣接する追肥用穴となるミシン目加工部３の中心間の距離である。
【００５３】
追肥用穴となるミシン目加工部３の穴径は、１〜１０ｃｍとすることが好ましい。１ｃｍよりも小さいと、追肥用機械の操作が困難となり、手作業でも追肥作業が困難となる。また、１０ｃｍよりも大きくすると、追肥作業は容易であるが、マルチ効果（昇温）を減らす原因となり、大雨による侵食被害が大きくなる。より好ましくは、３〜７ｃｍとすることである。
【００５４】
フィルム１は、その表面、裏面又は中間層の何れか１又は２以上の層が黒色等の遮光性の層であることが好ましい。雑草や苔の繁茂を抑える効果を期待することができる。このようなフィルム１としては、フィルム１全体を黒色等の遮光性フィルムとする態様の他、フィルム１の表面、裏面又は中間層に黒色等の遮光性フィルムを積層する、或いは、黒色等遮光性の塗装を施す態様が考えられる。フィルム１の裏面（畦１０と接する面）を黒色とする場合は、フィルム１の表面を白色或いはシルバー色とすることも好ましい。
【００５５】
このようなアスパラガスの促成栽培用マルチフィルムを使用してアスパラガスの促成栽培を行うには、図２に示すように、露地面に畦１０を形成し、その頂部に各定植穴２及び各追肥用穴となるミシン目加工部３が配置されるようにして畦１０にフィルム１を被覆した後、各定植穴２にアスパラガスの株Ｐを植え付けていく。
【００５６】
このとき、株Ｐの根部Ｐａの容量をできるだけ大きくするためにも、畦１０の高さを高く形成することが好ましい。畦１０の高さとしては圃場面から２０ｃｍ以上５０ｃｍ以下に形成することが好ましい。このように畦１０を高くすることにより、大株の根部Ｐａをマルチ下に集中させることができ、養成後に株Ｐを畦１０から掘り上げる際に、根部Ｐａを傷めるおそれを少なくし、掘り上げ易くすることができる利点がある。
【００５７】
株Ｐを各定植穴２に植え付けた後は追肥開始時に合わせ追肥用穴となるミシン目加工部３をミシン目に沿って開口して追肥を行う。追肥は、株Ｐの速い生育に合わせて複数回行うことで、株Ｐに十分な栄養を行き渡らせるようにする。最初に大量に給肥すると、いわゆる肥やけを起こし、根部Ｐａを傷めるおそれがあるため、生育に合わせて複数回に分けて行うことが好ましい。
【００５８】
ここで追肥開始時とは、通常定植時から１５日〜４５日後くらいをいう。  
【００５９】
追肥の回数は、定植後から掘り上げまでの間に４〜８回程度行うことが好ましい。このとき、各追肥用穴から各株Ｐの根部Ｐａの近傍に効果的に追肥を行うことができる。肥料は、粉状、粒状、液状のいずれでもよい。
【００６０】
その他は、通常のマルチ栽培と同様に行うことで、追肥効果とマルチ効果とによって、短期間のうちにアスパラガスの株Ｐを大株にまで養成することができる。
【００６１】
以上、本発明の好ましい実施形態について説明したが、本発明はこれに限定されるものではなく、以下の態様を採用することも好ましい。
【００６２】
図１に示す態様は、複数の定植穴２が一条に所定間隔に設けられており、各定植穴２と同一列上に、各定植穴近傍にそれぞれ追肥用穴となるミシン目加工部３を有し、該定植穴と該追肥用穴となるミシン目加工部が交互に設けられている例であるが、図４に示すような態様も好ましい。
【００６３】
即ち、図４に示すように、フィルム１の長さ方向に沿って一条に複数の定植穴２と複数のミシン目加工部３が同一列上に設けられており、複数の定植穴２のうち隣接する定植穴２が定植穴対２０、２０・・・を順次形成し、該定植穴対２０を構成する二つの定植穴２、２の間に追肥用穴となるミシン目加工部３を設け、該定植穴対２０同士の間には該ミシン目加工部３を設けない態様を採用してもよい。これにより、１回の追肥作業により２箇所の株に対し肥料を施すことができ、作業効率上好ましい。
【００６４】
また図５に示すように、フィルム１の長さ方向に沿って一条に所定間隔で設けられた複数の定植穴２を有し、該各定植穴２と同一列上に配置されることなく、各定植穴２近傍にそれぞれ追肥用穴となるミシン目加工部３が設けられている態様を採用してもよい。これにより、追肥を二人で施す場合に、フィルム両端より同時に追肥を施すことが出来るため、作業時間の軽減につながるため好ましい。
【００６５】
更に図６に示すように、フィルム１の長さ方向に沿って、定植穴対２０が一条に所定間隔で複数設けられており、各定植穴対２０近傍にそれぞれ追肥用穴となるミシン目加工部３が設けられている態様を採用してもよい。これにより、１回の追肥作業により２箇所の株に対し肥料を施すことができ、さらには追肥を二人で施す場合には、フィルム両端より同時に追肥を施すことが出来るため、作業効率に優れ、また作業時間の軽減につながり好ましい。
【００６６】
更に図７（Ａ）に示すように、定植穴２の周りに円形のミシン目４を形成したり、あるいは同図（Ｂ）に示すように定植穴２の周りに切れ目状（例えば、放射状）のミシン目４を形成することも好ましい。かかるミシン目４の存在により、植生された株の成長に応じて定植穴２を拡大できて好ましい。また、同図（Ａ）では、定植穴２の周りの円形のミシン目４が、一つだけの態様を示しているが、これに限定されるものではなく、株の成長に応じ適宜定植穴２を拡大するためにミシン目４は複数形成されていても良い。
【実施例】
【００６７】
以下、実施例により本発明の効果を例証する。
（実施例１）
播種後７９日目のアスパラガスの苗（品種：ウエルカム）を１２０株用意し、みかど化工（株）の実験農場（青森県六戸町）において、下記に示す条件で平成１５年５月２０日〜平成１５年１１月３０日の間でマルチ栽培を行った。
【００６８】
マルチフィルムとして、幅１１０ｃｍ、厚み２０μｍの市販黒色マルチフィルムに下記内容の加工を施したフィルムを用いた。
【００６９】
定植穴径：６ｃｍ
定植穴間隔：４０ｃｍ
ミシン目で形成された追肥用予定穴の径：６ｃｍ
ミシン目で形成された追肥用予定穴の間隔：４０ｃｍ
定植穴と追肥用予定穴の間隔：１３ｃｍ
なお、定植穴及びミシン目で形成された追肥用予定穴は、図１に示すように、フィルムの長さ方向に沿って同一列上に配置した。
【００７０】
ミシン目加工の形成方法は、ＣＯ２ガスレーザー装置を用い、出力３０Ｗで行い、図３（ｄ）のような形状のミシン目加工を行った。
【００７１】
上記のフィルムを用い、露地面に形成した畦面に被覆した。
【００７２】
畦列数は試験区Ｘ（実施例１）と対照区Ｙ（比較例）、参考区Ｚ（参考例１）の３列とし、フィルム被覆畦幅：７０ｃｍ、畦間：５０ｃｍ、畦高さ：２５ｃｍとした。
【００７３】
１０ａ当たり定植時肥料：
・野菜専用Ｎ５５５号      240kg
・苦土重焼燐                60kg
１０ａ当たり追肥用肥料として、燐硝安加里Ｓ６４６号    100kgを用いた。
【００７４】
追肥開始時（６月１５日）に、ミシン目加工された追肥用穴の部分を上から押圧して開口を形成し、追肥用穴をあけた。
【００７５】
この追肥用穴から、２０日おきに合計５回、それぞれ給肥した。
【００７６】
栽培後、株を畦から掘り上げ、各株の平均重量を調べた。
【００７７】
（実施例２）
実施例１で作成した定植穴の外周に、径９ｃｍのミシン目を設け、定植後４０日で剥ぎ取って定植穴径を９ｃｍとした以外は、同様にして１１月３０日に株を掘り上げ、株の平均重量を調べた。
【００７８】
（参考例１）
実施例１において、マルチフィルムを以下のフィルムに代えた以外は同様にして、栽培試験を行い、栽培後、株を畦から掘り上げ、各株の平均重量を調べた。
【００７９】
マルチフィルムとして、幅１１０ｃｍ、厚み２０μｍの市販黒色マルチフィルムに下記内容の加工（予め、追肥用穴をあけた。）を施したフィルムを用いた。
【００８０】
定植穴径：６ｃｍ
定植穴間隔：４０ｃｍ
追肥用穴の径：６ｃｍ
追肥用穴の間隔：４０ｃｍ
定植穴と追肥用穴の間隔：１３ｃｍ
なお、定植穴及び追肥用穴は、図１に示すように、フィルムの長さ方向に沿って同一列上に配置した。
【００８１】
（比較例）
マルチフィルムとしてミシン目で形成された追肥用予定穴を設けず、定植穴から追肥を行なった以外は上記実施例１と同様にして対照区でマルチ栽培を行い、同様に各株の平均重量を調べた。  
【００８２】
（評価）  
上記の結果、実施例１、２は、参考例１に比べ、追肥開始時まで雑草が生えなかった。
【００８３】
また追肥作業は、比較例では実施例１、２の２〜３倍の時間を要し、追肥用穴を有する実施例が圧倒的に省力化出来た。
【００８４】
また各株の平均重量は、
実施例１：１３１０ｇ／株
実施例２：１４５０ｇ／株
参考例１：１１９０ｇ／株
比較例  ：９１０ｇ／株
比較例に比べ、実施例１は４０％以上、実施例２は５０％以上優れていることがわかる。これは株元への散布の均一性や降雨による地中への肥料浸透性の点で実施例の方が優れているためと思われる。
【００８５】
また、参考例１に対しても、実施例は初期雑草を抑えることで生育が優れている。
【図面の簡単な説明】
【００８６】
【図１】アスパラガスの促成栽培用マルチフィルムの好ましい実施形態を示す部分平面図
【図２】図１に示すアスパラガスの促成栽培用マルチフィルムの使用状態を示す一部断面斜視図
【図３】追肥用穴となるミシン目加工部の一例を示す図
【図４】アスパラガスの促成栽培用マルチフィルムの他の態様を示す部分平面図
【図５】アスパラガスの促成栽培用マルチフィルムの他の態様を示す部分平面図
【図６】アスパラガスの促成栽培用マルチフィルムの他の態様を示す部分平面図
【図７】アスパラガスの促成栽培用マルチフィルムの他の態様を示す部分平面図
【符号の説明】
【００８７】
１：フィルム
２：定植穴
３：追肥用穴ミシン目加工部
４：拡大定植用穴ミシン目加工部
１０：畦
２０：定植穴対  
Ｐ：アスパラガスの株
Ｐａ：根部
【図１】
2006042700.tif 000003
【図２】
2006042700.tif 000004
【図３】
2006042700.tif 000005
【図４】
2006042700.tif 000006
【図５】
2006042700.tif 000007
【図６】
2006042700.tif 000008
【図７】
2006042700.tif 000009